(57)【要約】【課題】表示画面の外光反射を抑える遮光部材を用いる際の使い勝手を改善した携帯型電子機器を得る。【解決手段】機器本体１２の前側外側面１２Ｂに設けられたホルダー部の取付孔にフード１４の取付板４０を挿入してフード１４を機器本体１２に取り付けると、プッシュスイッチ３２のスイッチ部が取付板４０で押圧されスイッチＯＮとなり、機器本体１２に内蔵されたコントローラが画面２４の輝度を所定値まで下げるようＬＣＤディスプレイ２２を制御する。フード１４を取り外すとプッシュスイッチ３２がスイッチＯＦＦとなって画面２４の輝度が通常の明るさに戻される。フード１４を機器本体１２に着脱するだけで画面２４の輝度が自動調整されるため、フード１４を必要とする場所で消費電力を抑えた使い方をする場合と、フード１４無しで通常使用する場合とで、画面２４の輝度を調整し直す面倒な操作が不要となる。【選択図】    図１
2004246651.tif 000002
【特許請求の範囲】
【請求項１】
機器本体に設けられ発光作用により各種情報を画面に表示する表示装置と、
前記機器本体に着脱可能とされ取付状態において前記画面に射し込む外光を遮る遮光部材と、
前記遮光部材が前記機器本体に取り付けられているか否かを検出する検出手段と、
前記検出手段の検出結果に基づいて前記画面の輝度を調整するよう前記表示装置を制御する制御手段と、
を有することを特徴とする携帯型電子機器。
【請求項２】
前記検出手段の検出結果に基づいて調整される前記画面の輝度を設定する設定手段を更に備えることを特徴とする請求項１記載の携帯型電子機器。
【請求項３】
前記遮光部材は、
前記機器本体に設けられた被取付部に取り付けられる取付部と、
前記取付部に回動可能に連結され、前記取付状態において前記画面を被覆する被覆位置及び画面に対し傾斜姿勢又は垂直姿勢に保たれた遮光位置に配置される主板部と、
前記主板部の側端に前記画面側へ屈曲して一体的に設けられた側板部と、
を有することを特徴とする請求項１又は請求項２記載の携帯型電子機器。
【発明の詳細な説明】
【０００１】
【発明の属する技術分野】
本発明は、携帯型電子機器に係り、詳細には、表示画面の外光反射を抑える遮光部材を備えた携帯型電子機器に関する。
【０００２】
【従来の技術】
電子手帳やＰＤＡ（Ｐｅｒｓｏｎａｌ  Ｄａｔａ  Ａｓｓｉｓｔａｎｔ）等の携帯情報端末、ポケット・コンピュータやビデオカメラ等に代表される携帯型電子機器は、文字や画像等を表示する表示装置に液晶ディスプレイ（Ｌｉｑｕｉｄ  Ｃｒｙｓｔａｌ  Ｄｉｓｐｌａｙ、以下「ＬＣＤ」と呼ぶ）を用いているものが多く、通常は、ＬＣＤに内蔵されたバックライトの発光量を変えることで、表示画面の輝度（明るさ）を調整している。また屋外での使用では、外光（自然光）が画面に反射する「外光反射」により画面の視認性が低下するため、外光を遮る遮光部材を用いて視認性を落とさないようにできるものもある。
【０００３】
例えば、ＬＣＤをモニターとして装備する携帯型ビデオカメラには、モニター画面全周を取り囲む略角筒状の遮光部材を着脱できるものがあり、その遮光部材は、単体で携帯する際に折りたたんで小型化できる構造となっている。
【０００４】
また他には、ビデオカメラの筐体に表示部（ＬＣＤ）の画面の視認性を確保するカバーを一体的に設けて開閉できる構造としたものがあり、その場合、カバーを閉じた状態では表示部がカバーで覆われ、カバーを開くと、表示部は筐体に対しユーザーの視線方向に起き上がるよう姿勢を変えるとともに、前側に開かれたカバーによって画面に射し込む外光が遮られるようになっている（例えば、特許文献１参照）。
【０００５】
また、ＬＣＤ画面の視認性と関連し、省電力化を図るためにＬＣＤのバックライトを自動で点灯／消灯する技術として、モータの各種の駆動状態を選択する複数のスイッチを有する操作スイッチ部と、モータの駆動状態の情報を表示するバックライトを有する液晶表示部（ＬＣＤ）、及びそれらを保護する開閉蓋を備えたモータコントローラにおいて、液晶表示部の周辺部の明るさを光センサにより検知し光センサが出力する情報に基づいて点灯消灯手段（バックライト制御回路）によりバックライトを点灯及び消灯させるものがある。
【０００６】
【特許文献１】
特開２０００−７８４４１  （第３−４頁、第１図、第２図、第３図）
【特許文献２】
特開平７−５４２５号公報  （第３頁、第１図）
【０００７】
【発明が解決しようとする課題】
しかしながら、上述した携帯型ビデオカメラに用いられる略角筒状の遮光部材では、遮光効果は高いものの、その分大型化するため携帯性を考慮し折りたたみ式にされており、それによって、部品点数が多くなり構造が複雑となる。
【０００８】
また、特許文献１に示される従来例では、カバー（遮光部材）を用いてビデオカメラを使用する場合、ユーザーは、画面の外光反射が抑えられることから、省電力化のために画面の明るさを下げるよう、例えば、ボタン等を操作し、タッチパネル式であれば画面に触れるなど操作して、輝度調整していることが多い。また、その状態から屋内で遮光部材を使わずに機器を使用する際は、暗く見える画面を逆に明るくするよう設定し直すことになる。このように、外光を気にせずに使える屋内と、遮光部材を併用する屋外とで、使用場所を変える度にその都度画面の輝度を調整することは、操作が面倒であり、機器の使い勝手からすると好ましくない。
【０００９】
一方、特許文献２に示される従来例では、液晶表示部周辺の明るさを光センサで検知しその検知情報に基づいてバックライトを点灯／消灯しているものの、そのバックライトの制御について、開閉蓋と関連する記載はない。
【００１０】
本発明は上記事実を考慮して、表示画面の外光反射を抑える遮光部材を用いる際の使い勝手を改善した携帯型電子機器を提供することを課題とする。
【００１１】
【課題を解決するための手段】
上記目的を達成するために請求項１に記載の発明は、機器本体に設けられ発光作用により各種情報を画面に表示する表示装置と、前記機器本体に着脱可能とされ取付状態において前記画面に射し込む外光を遮る遮光部材と、前記遮光部材が前記機器本体に取り付けられているか否かを検出する検出手段と、前記検出手段の検出結果に基づいて前記画面の輝度を調整するよう前記表示装置を制御する制御手段と、を有することを特徴としている。
【００１２】
請求項１に記載の発明では、携帯型電子機器の機器本体に設けられた、例えば、光源内蔵型のＬＣＤ、あるいはＥＬ（Ｅｌｅｃｔｒｏ  Ｌｕｍｉｎｅｓｃｅｎｃｅ）等の自発光型薄膜固体ディスプレイ等の表示装置が、発光作用によって、画面に文字や画像等の情報を表示する。この携帯型電子機器を屋外で使用するときなどに、機器本体に遮光部材を取り付けると、画面に射し込む外光が遮光部材によって遮られ、画面の外光反射が抑えられる。
【００１３】
そして、遮光部材が機器本体に取り付けられると、例えば、機械的なスイッチや電気的なセンサ等の検出手段は、遮光部材が装着されたことを検出し、制御手段はその検出結果を受けて、画面の輝度を所定値まで下げるよう表示装置を制御する。これにより、画面は暗くされるが、外光反射が抑えられていることで表示情報を視認することができ、したがって、画面の視認性確保と省電力化の両立が図られる。
【００１４】
また、遮光部材を機器本体から取り外すと、検出手段は遮光部材が装着されていないことを検出し、制御手段は画面の輝度を初期の状態まで上げるよう表示装置を制御する。これにより、画面は元の明さに戻され、遮光部材を必要としない屋内などでの使用時に、画面に表示される各種情報を明瞭に視認することができる。
【００１５】
このように、遮光部材を機器本体に着脱するだけで画面の輝度が自動調整されるため、遮光部材を必要とする場所で消費電力を抑えた使い方をする場合と、遮光部材無しで通常使用する場合とで、画面の輝度を調整し直す面倒な操作が不要となり、したがって、携帯型電子機器の使い勝手がよくなる。
【００１６】
請求項２に記載の発明は、請求項１記載の携帯型電子機器において、前記検出手段の検出結果に基づいて調整される前記画面の輝度を設定する設定手段を更に備えることを特徴としている。
【００１７】
請求項２に記載の発明では、携帯型電子機器の画面の輝度が、上記の検出手段による検出結果（遮光部材装着の有無）に基づいて、明暗２種類に自動調整されるが、その各輝度（調整値）を、設定手段によって設定することができる。これにより、ユーザーは、画面の輝度を使用形態に応じて自分の見やすい明るさに設定できるようになり、したがって、機器の使い勝手がよりよくなる。
【００１８】
請求項３に記載の発明は、請求項１又は請求項２記載の携帯型電子機器において、前記遮光部材は、前記機器本体に設けられた被取付部に取り付けられる取付部と、前記取付部に回動可能に連結され、前記取付状態において前記画面を被覆する被覆位置及び画面に対し傾斜姿勢又は垂直姿勢に保たれた遮光位置に配置される主板部と、前記主板部の側端に前記画面側へ屈曲して一体的に設けられた側板部と、を有することを特徴としている。
【００１９】
請求項３に記載の発明では、遮光部材の取付部を機器本体側の被取付部に取り付けることで、遮光部材が機器本体に装着される。そして取付部に回動可能に連結された主板部を、画面を被覆する被覆位置や、画面に対して傾斜又は垂直な姿勢に保ち画面に差し込む外光を遮る遮光位置に可変させることで、機器携帯時などでの画面の保護と、屋外使用時などにおける遮光効果が果たされる。
【００２０】
また主板部を遮光位置に配置したときは、主板部の側端に画面側へ屈曲して一体的に設けられた側板部が、側方から画面へと差し込む外光を遮るため、より高い遮光効果が得られる。このように、主板部の側端に側板部を一体化した簡単な構造により、高い遮光機能を備える遮光部材を容易に実現することができる。さらに、遮光効果が高められることで、遮光部材を用いて外光反射を抑えたときに画面が視認可能となる輝度をより低く設定できるようになり、省電力化が促進される。
【００２１】
なお、この側板部の大きさや形状は、主板部が上記の被覆位置にあるときに側板部の外周縁が機器本体の外形から突出しないよう機器本体の大きさや形状に応じて決めてもよく、その場合は携帯性や収納性がよくなるため好ましい。
【００２２】
【発明の実施の形態】
以下、図面を参照して本発明の実施の形態を説明する。
【００２３】
図１〜図５には、本発明の一実施形態に係る携帯型電子機器が示されている。本実施形態の携帯型電子機器１０は、略直方体形状の機器本体１２、及び、機器本体１２と分離可能なフード１４から構成されており（図３参照）、ユーザーから見て図示の縦長の向きで用いる仕様とされている。
【００２４】
機器本体１２は樹脂成形品の筐体１６を備え、上面１２Ａの手前側領域（図１の矢印Ｒ方向側）に、機器を操作するための各種操作ボタン１８Ａ、１８Ｂ、１８Ｃ及び選択ボタンユニット２０が設けられている。上面１２Ａの前方側領域（図１の矢印Ｆ方向側）には、タッチパネル式のＬＣＤ２２が埋設されており、ＬＣＤ２２の液晶画面２４（以下、単に「画面２４」と呼ぶ）は、筐体１６に形成された矩形状の開口２６から露出している。
【００２５】
ＬＣＤ２２は、機器作動時に、図示しない内蔵のバックライトが発光して画面上に文字や画像、操作用アイコン等の各種情報を表示し、画面２４の輝度は、操作ボタン（１８Ａ、１８Ｂ、１８Ｃ）及び選択ボタンユニット２０から行う所定の操作により、バックライトの発光量が変えられて、任意の明るさに調整できるようになっている。
【００２６】
機器本体１２の前方側の外側面１２Ｂには、フード１４を取り付けるためのホルダー部２８が設けられている。ホルダー部２８は、筐体１６に一体的に形成されており、幅方向に沿って延設され上下方向に貫通するスリット状の取付孔３０を有している。また外側面１２Ｂ（取付孔３０の内壁面）の上部一側端寄りには、取付孔３０内に位置してプッシュスイッチ３２が埋設されている。プッシュスイッチ３２は、スイッチ本体３４から突出し押圧及び押圧解除されることで出没するスイッチ部３６が、外側面１２Ｂの図示しない開口部から所定量突出しており、その状態（スイッチＯＦＦ）からスイッチ部３６が押圧されるとスイッチＯＮとなり、スイッチ本体３４内に組み込まれた電気回路が導通する。
【００２７】
図５に示すように、プッシュスイッチ３２と、上述した操作ボタン１８Ａ、１８Ｂ、１８Ｃ、選択ボタンユニット２０、及びＬＣＤ２２は、機器本体１２に内蔵されたコントローラ３８に接続されている。コントローラ３８は、ＣＰＵ（マイクロプロセッサ）、ＲＯＭ、ＲＡＭ、及び各部を接続するバス等を備え、各ボタンの操作時や、ＬＣＤ２２の画面２４に表示されたアイコンに触れたときに送られる各操作信号（入力信号）に基づき、ＣＰＵがＲＯＭに格納された所定のプログラムを実行して、画面２４の表示情報を変えたりＲＡＭにデータを記憶するなどの制御を行う。
【００２８】
さらにコントローラ３８は、プッシュスイッチ３２から送られる電気信号の有無に応じて、ＬＣＤ２２のバックライト発光量を制御する。本実施の形態では、スイッチＯＮ（信号有り）で発光量を初期の状態から所定量下げ、スイッチＯＦＦ（信号無し）で元の発光量に戻すよう制御している。したがって、画面２４の輝度は、プッシュスイッチ３２のＯＮ／ＯＦＦ切り替えにより明暗２つの明るさに自動的に調整される。
【００２９】
また、このように輝度を自動で調整するか否かのモード選択と、自動で調整するモードを選択した際の輝度の調整値については、上記の操作ボタン１８Ａ、１８Ｂ、１８Ｃ及び選択ボタンユニット２０によって予め設定できる構成である。例えば、輝度の自動調整モードを選択した場合、ユーザーは、スイッチのＯＮ／ＯＦＦに応じて変化する明暗２種類の輝度を自分の見やすい明るさに設定することができる。
【００３０】
一方、フード１４は、機器本体１２の筐体１６と同じ樹脂材料による成形品であり、機器本体１２側の取付孔３０に挿入される取付板４０と、取付板４０の端部に回動可能に軸支されて連結されたフード本体４２とから構成されている。
【００３１】
取付板４０は略矩形の平板状とされ、幅及び厚さ寸法が取付孔３０の内幅及び隙間寸法より僅かに大きく、挿入方向に沿った高さ寸法が取付孔３０の深さ（機器本体１２の厚さ）寸法より少し短くされており、取付孔３０に挿抜可能で、且つ、挿入状態では取付孔３０に嵌合して機械的に保持される形状とされている。さらに先端側の左右角部は面取りされ、取付孔３０に挿入しやすくなっている。
【００３２】
フード本体４２は、端部が取付板４０に連結された平板状の主板部４４と、主板部４４の左右両側端から直角に折れ曲がって延出された一対の側板部４６Ｌ、４６Ｒとからなり、図示のように、断面コ字状に形成された一体構造をしている。
【００３３】
主板部４４は、フード１４を機器本体１２に装着しフード本体４２を機器本体１２の上面１２Ａ側に倒した図２の状態で、画面２４を含む上面１２Ａの半分程度を被覆できる大きさに形成されている。側板部４６Ｌ、４６Ｒは、間隔（内幅寸法）が機器本体１２の幅寸法より少し大きくされて、上記状態のときに、機器本体１２の左右の側面１２Ｌ、１２Ｒを部分的に覆うとともに、下面１２Ｃ側へはみ出さない大きさ及び形状に形成されている。また取付板４０とフード本体４２との連結部には、図３に示す軸線Ｌを中心に相互に回動可能で、且つ、摩擦制動力により任意の角度に保持できる周知のヒンジ機構が用いられている。
【００３４】
次に、携帯型電子機器１０の作用について説明する。
【００３５】
まず、携帯型電子機器１０を携帯したり収納するときは、図２に示すように、機器本体１２にフード１４を装着し、フード本体４２を機器本体１２の上面１２Ａ側に倒しておく。これにより、ＬＣＤ２２の画面２４がフード本体４２の主板部４４で被覆され保護される。またフード本体４２は、ヒンジ機構の摩擦制動力でその被覆位置に保持されるため、振動などによるばたつきが防がれる。なお、フード１４は、前述したように、取付板４０を機器本体１２に設けられたホルダー部２８の取付孔３０に挿抜することで、機器本体１２に容易に着脱することができる。
【００３６】
携帯型電子機器１０を室内などで通常に使用するときは、図３に示すように、フード１４を機器本体１２から取り外すか、又は、図４に示すように、フード１４を機器本体１２の下面側に取り付ける。この下面側への取り付けは、フード１４の向きを表裏逆さにして取付板４０を取付孔３０の下側から挿入することにより、簡単に取り付けられる。そしてこの場合は、フード１４を片付けておくスペースが要らなくなるとともに、フード１４の紛失を防止できるなどの利点がある。またこの取り付け状態では、取付孔３０に挿入された取付板４０がプッシュスイッチ３２のスイッチ部３６に達していないため、プッシュスイッチ３２はスイッチＯＦＦのままである。また、図３の場合も同様にスイッチＯＦＦの状態である。
【００３７】
したがって、携帯型電子機器１０を作動させると、ＬＣＤ２２のバックライトが所定の明るさに発光して画面２４に文字や画像等が表示され、ユーザーはそれら各種情報を視認して機器を操作することができる。また、このときの画面２４の輝度は、前回の使用時に設定されていた輝度である。ただし、ユーザーは、操作ボタン１８Ａ、１８Ｂ、１８Ｃ及び選択ボタンユニット２０を操作して、自分の好みの明るさに自由に設定し直すことができる。
【００３８】
一方、屋外などの外光が強い場所で携帯型電子機器１０を使用する際は、図１及び図５に示すように、機器本体１２にフード１４を装着し、フード本体４２を機器本体１２の上面１２Ａ（画面２４）に対して垂直な姿勢、あるいは、上面１２Ａ側に少し傾けた傾斜姿勢に保つ。これにより、ＬＣＤ２２の画面２４に射し込む外光（図５の矢印Ａ）がフード本体４２によって遮られ、画面２４の外光反射が抑えられる。またフード本体４２には、主板部４４の側端に側板部４６Ｌ、４６Ｒを設けていることで、機器側方から画面２４へと差し込む外光も遮られる。そのため、高い遮光効果が得られる。
【００３９】
また、フード１４を機器本体１２に取り付けると、すなわち、取付板４０をホルダー部２８の取付孔３０に挿入すると、取付板４０がプッシュスイッチ３２のスイッチ部３６を押圧し、スイッチ部３６はスイッチ本体３４内に没入する。これにより、プッシュスイッチ３２はスイッチＯＮとなり、コントローラ３８に電気信号が送られて、コントローラ３８はＬＣＤ２２のバックライト発光量を初期の状態から所定量下げるようＬＣＤ２２を制御する。なお、ここでは、輝度を自動で調整するモードが選択されており、その調整値も、所定の操作手順で予め設定されている。
【００４０】
これにより、ＬＣＤ２２の画面２４は暗くされるが、外光反射が抑えられていることでユーザーは表示情報を視認することができる。したがって、画面２４の視認性を確保しつつ機器の省電力化を図った使い方となる。
【００４１】
また、外光が弱まったり、ユーザーが屋内へ移動するなどして、フード１４を必要としなくなった場合には、フード１４を機器本体１２から取り外すと、プッシュスイッチ３２のスイッチ部３６が元の突出位置に戻ってスイッチＯＦＦとなる。そして、プッシュスイッチ３２からコントローラ３８へ送られる電気信号が切られ、コントローラ３８はＬＣＤ２２のバックライト発光量を元に戻すようＬＣＤ２２を制御する。これにより、画面２４は元の明さに戻され、ユーザーは、画面２４に表示される各種情報を明瞭に視認できるようになる。
【００４２】
以上説明したように、本実施形態の携帯型電子機器１０は、フード１４を機器本体１２に着脱するだけでＬＣＤ２２の画面２４の輝度が自動調整されるため、フード１４を必要とする場所で消費電力を抑えた使い方をする場合と、フード１４無しで通常使用する場合とで、画面２４の輝度を調整し直す面倒な操作が不要となる。したがって、携帯型電子機器１０の使い勝手がよくなる。
【００４３】
また本実施形態では、画面２４の輝度が、機器本体１２にフード１４が装着されているか否かを検出するプッシュスイッチ３２の検出結果（スイッチＯＮ／ＯＦＦ）に基づいて、明暗２種類に自動調整されるが、その各輝度（調整値）を、操作ボタン１８Ａ、１８Ｂ、１８Ｃ及び選択ボタンユニット２０によって設定することができる。これにより、ユーザーは、画面２４の輝度を使用形態に応じて自分の見やすい明るさに設定することができるようになる。したがって、機器の使い勝手がよりよくなる。
【００４４】
さらに本実施形態では、フード１４の取付板４０を機器本体１２側のホルダー部２８（取付孔３０）に取り付けることで、フード１４が機器本体１２に装着される。そして取付板４０に回動可能に連結されたフード本体４２（主板部４４）を、画面２４を被覆する被覆位置や、画面２４に対して傾斜又は垂直な姿勢に保ち画面２４に差し込む外光を遮る遮光位置に可変させることで、機器携帯時などでの画面２４の保護と、屋外使用時などにおける遮光効果が果たされる。またフード本体４２を遮光位置に配置したときは、主板部４４の側端に画面２４側へ屈曲して一体的に設けた側板部４６Ｌ、４６Ｒが、側方から画面２４へと差し込む外光を遮るため、より高い遮光効果が得られる。このように、主板部４４の側端に側板部４６Ｌ、４６Ｒを一体化した簡単な構造により、高い遮光機能を備えたフード１４が容易に実現される。さらに、遮光効果が高められたことで、フード１４を用い外光反射を抑えたときに画面２４が視認可能となる輝度をより低く設定できるようになる。そのため、省電力化が促進される。
【００４５】
また、側板部４６Ｌ、４６Ｒは、フード本体４２が被覆位置にあるときに機器本体１２の下面１２Ｃ側へはみ出さない大きさ及び形状であるため、フード装着状態での携帯型電子機器１０の携帯性や収納性も良好となる。
【００４６】
以上、本発明を上述した特定の実施形態により詳細に説明したが、本発明はそれに限定されるものではなく、本発明の範囲内にて他の種々の実施形態が可能である。例えば、本実施形態では、携帯型電子機器が搭載する表示装置を光源内蔵型のＬＣＤとしたが、発光作用により各種情報を画面に表示する表示装置は、これに限定されず、例えば、エレクトロルミネセンス（ＥＬ）等でもよい。また他では、フード１４が機器本体１２に装着されているか否かを検出する検出手段をプッシュスイッチ３２としたが、フード１４の取付板４０が金属製であれば、金属に反応する電気的なセンサ等に置き換えることもできる。
【００４７】
【発明の効果】
本発明の携帯型電子機器は上記構成としたので、表示画面の外光反射を抑える遮光部材を用いる際に、画面の輝度を調整する手間が省かれ、使い勝手が改善される。
【図面の簡単な説明】
【図１】本発明の一実施形態に係る携帯型電子機器を示した斜視図であり、機器本体に装着したフードを垂直姿勢とした状態である。
【図２】本発明の一実施形態に係る携帯型電子機器を示した斜視図であり、機器本体に装着したフードでＬＣＤの画面を被覆し保護した状態である。
【図３】本発明の一実施形態に係る携帯型電子機器を示した斜視図であり、フードを機器本体から取り外した状態である。
【図４】本発明の一実施形態に係る携帯型電子機器を示した斜視図であり、フードを機器本体の下面側に装着した状態である。
【図５】図１の携帯型電子機器を側方から見た部分断面図である。
【符号の説明】
１０        携帯型電子機器
１２        機器本体
１４        フード（遮光部材）
１８Ａ      操作ボタン（設定手段）
１８Ｂ      操作ボタン（設定手段）
１８Ｃ      操作ボタン（設定手段）
２０        選択ボタンユニット（設定手段）
２２        ディスプレイ（表示装置）
２４        液晶画面（画面）
２８        ホルダー部（被取付部）
３２        プッシュスイッチ（検出手段）
３８        コントローラ（制御手段）
４０        取付板（取付部）
４４        主板部
４６Ｌ      側板部
４６Ｒ      側板部
【図１】
2004246651.tif 000003
【図２】
2004246651.tif 000004
【図３】
2004246651.tif 000005
【図４】
2004246651.tif 000006
【図５】
2004246651.tif 000007